(57)【要約】【課題】簡単な構成により効率の良いグランド回路を構成することにより、ノイズ発生を抑えることができるアクセサリー装置を提供する。【解決手段】画像入力装置に対して後付けにより着脱可能であって、自身に有する電気回路の接続に用いられるフレキシブルな電路を備えたアクセサリー装置であって、画像入力装置１に対して後付けにより着脱可能なアクセサリー装置１０であって、上記画像入力装置１に装着されて一体化される固定部１１と、上記固定部１１により可動できる状態で支持されている可動部１２とを備え、上記固定部１１には上記画像入力装置１側の電気的接点に圧接可能なグランド接続部１４が設けられ、該グランド接続部１４は、上記可動部１２の動作時に該可動部１２の一部と連続して電気的接続を維持可能な導電部１４Ｃが備えられていることを特徴とする。【選択図】図５
2008244834.tif 000002
【特許請求の範囲】
【請求項１】
画像入力装置に対して後付けにより着脱可能であって、自身に有する電気回路の接続に用いられるフレキシブルな電路を備えたアクセサリー装置であって、
上記画像入力装置に装着されて一体化される固定部と、
上記固定部により可動できる状態で支持されている可動部とを備え、
上記固定部には上記画像入力装置側の電気的接点に圧接可能なグランド接続部が設けられ、該グランド接続部は、上記可動部の動作時に該可動部の一部と連続して電気的接続を維持可能な導電部が備えられていることを特徴とするアクセサリー装置。
【請求項２】
上記導電部は、上記可動部の可動方向に沿って延長された片部で構成され、該片部に対して上記可動部の一部が常時接触させてあることを特徴とする請求項１に記載のアクセサリー装置。
【請求項３】
上記導電部および上記可動部の一部は複数箇所で互いに接触することを特徴とする請求項１または２に記載のアクセサリー装置。
【請求項４】
上記可動部は、上記導電部に接触する金属製グランド部材で構成されていることを特徴とする請求項１または２に記載のアクセサリー装置。
【請求項５】
上記金属製グランド部材は、上記可動部の全体を覆うことができる構成であることを特徴とする請求項４に記載のアクセサリー装置。
【請求項６】
上記可動部には、ケース部材が設けられ、該ケース部材は、該可動部における上記導電部に接触する一部と対向する面が金属メッキを施されていることを特徴とする請求項１乃至５のいずれかに記載のアクセサリー装置。
【請求項７】
上記金属メッキが施されている面が少なくとも２箇所で上記導電部に接触する可動部の一部と接触することを特徴とする請求項６に記載のアクセサリー装置。
【請求項８】
請求項１乃至７のいずれかに記載のアクセサリー装置を装備可能な撮像装置であって、上記固定部がアクセサリーシューに圧接する部分として用いられることを特徴とする撮像装置。
【発明の詳細な説明】
【技術分野】
【０００１】
本発明は、アクセサリー装置および撮像装置に関し、さらに詳しくは、撮像装置に後付可能なアクセサリー装置を対象としたグランド設置構造に関する。
【背景技術】
【０００２】
カメラなどの撮像装置を用いて撮影を行う場合の映像確認を行うための構成として、光学ファインダがよく知られている。  
一方、デジタルカメラやデジタルビデオカメラなどの撮像装置では、カメラ本体に装備されている液晶モニターとは別に、カメラ本体からの画像信号により画像を表示する表示部とこれの制御回路を内蔵した電子ビューファインダーなどのアクセサリー装置をカメラ本体に後付けする場合がある。
【０００３】
電子ビューファインダーをカメラ本体に後付けする場合には、カメラ本体に設けてあるアクセサリーシューに電子ビューファインダーを装着することでカメラ本体との電気的接続が行える構成が多用されている。このような構成は、電子ビューファインダーだけではなく、例えばフラッシュなどを後付けする際にも用いられる。
【０００４】
電子ビューファインダーには、チルト機能を付加して使用者が見る角度に応じて傾けることができるようにして撮影の際の便宜を図るようにした構成が知られている（例えば、特許文献１）。
【０００５】
一方、カメラ本体に後付けされるような電子ビューファインダーを含め、本体とは別にデジタル回路を組み込んでいるアクセサリー機器においては、回路素子から発生するノイズが外部に漏れるのを防止することが電子回路保護のうえで重要となる。
【０００６】
従来、ノイズ発生を抑える構成として、例えば、可動する金属製の筐体同士を導電性の可撓性シートで接続した構成（例えば、特許文献２）、あるいは、ベース部材に対して可動する関係で設けられている支持枠およびこの支持枠に有するレンズ支持用筐体を対象として、ベース部材と支持枠との間および支持枠とレンズ支持用筐体との間にそれぞれ摺動電極を設け、各部材間でのインピーダンスを摺動電極の介在による静電容量を介して低下させるようにした構成が提案されている（例えば、特許文献３）。
【０００７】
【特許文献１】特開平１１−３５５６１８号公報
【特許文献２】特許第２８４７３７９号
【特許文献３】特開２００７−３６６５１号公報
【発明の開示】
【発明が解決しようとする課題】
【０００８】
しかし、従来のノイズ抑制構造においては、次のような問題がある。  
特許文献２に開示されているように、金属製の筐体同士を対象として導電性の可撓性シートにより接続する場合、そのシートの線路長によっては、特許文献３に開示されているように、インピーダンスの増加が原因するアンテナ効果によるノイズの発信源となる虞がある。しかも、近年では、カメラなどの撮像装置に用いられる後付け可能なアクセサリー装置の一つである電子ビューファインダーにおいては、チルト機構を有するハウジングがコストや意匠上での要求から樹脂製とする場合もあるため、チルト機構に用いられる固定部と可動部が樹脂製であると電気的接続ができないことから、ノイズ低減が困難となる。  特に、自らが表示制御回路などの電装部品を使用する構成を備えた電子ビューファインダーにおいては、例えば、信号ラインを有するフレキシブルプリント板あるいはケーブルを用いてノイズ除去のためのアースラインを構成することもあるが、フレキシブルプリント板に印刷される電路としては、２０μｍ程度の寸法であることから、これだけでは効果的なシールド効果を期待することは難しいのが現状である。
【０００９】
一方、摺動電極を有する構成が開示されている特許文献３の構成においては、複数のシャーシ同士での電気的導通性を改善することでインピーダンスの低下が図れる反面、シャーシの数による電路長の増加によって特許文献２の場合と同様にノイズの発信源となる虞がある。
【００１０】
しかも、摺動電極と接触する構成として、導電基板上に絶縁層を配置した電極部を間欠的に設けて静電容量を得るという特殊な構成を必要とし、加工コストの上昇を招く虞がある。
【００１１】
本発明の目的は、上記従来のアクセサリー装置を用いた場合のノイズ発生に鑑み、簡単な構成により効率の良いグランド回路を確保できるようにしてノイズ発生を抑えることができるアクセサリー装置およびこれを用いる撮像装置を提供することにある。
【課題を解決するための手段】
【００１２】
この目的を達成するため、本発明は以下の構成によりなる。  
（１）画像入力装置に対して後付けにより着脱可能であって、自身に有する電気回路の接続に用いられるフレキシブルな電路を備えたアクセサリー装置であって、
上記画像入力装置に装着されて一体化される固定部と、
上記固定部により可動できる状態で支持されている可動部とを備え、
上記固定部には上記画像入力装置側の電気的接点に圧接可能なグランド接続部が設けられ、該グランド接続部は、上記可動部の動作時に該可動部の一部と連続して電気的接続を維持可能な導電部が備えられていることを特徴とするアクセサリー装置。
【００１３】
（２）上記導電部は、上記可動部の可動方向に沿って延長された片部で構成され、該片部に対して上記可動部の一部が常時接触させてあることを特徴とする（１）に記載のアクセサリー装置。
【００１４】
（３）上記導電部および上記可動部の一部は複数箇所で互いに接触することを特徴とする（１）または（２）に記載のアクセサリー装置。
【００１５】
（４）上記可動部は、上記導電部に接触する金属製グランド部材で構成されていることを特徴とする（１）または（２）に記載のアクセサリー装置。
【００１６】
（５）上記金属製グランド部材は、上記可動部の全体を覆うことができる構成であることを特徴とする（４）に記載のアクセサリー装置。
【００１７】
（６）上記可動部には、ケース部材が設けられ、該ケース部材は、該可動部における上記導電部に接触する一部と対向する面が金属メッキを施されていることを特徴とする（１）乃至（５）のいずれかに記載のアクセサリー装置。
【００１８】
（７）上記金属メッキが施されている面が少なくとも２箇所で上記導電部に接触する可動部の一部と接触することを特徴とする（６）に記載のアクセサリー装置。
【００１９】
（８）（１）乃至（７）のいずれかに記載のアクセサリー装置を装備可能な撮像装置であって、上記固定部がアクセサリーシューに圧接する部分として用いられることを特徴とする撮像装置。
【発明の効果】
【００２０】
本発明によれば、この種、電気回路の接続用として備えられるフレキシブルな電路とは別に、画像入力装置側の電気的接点に圧接する固定部に設けられているグランド接続部を介して可動部の一部と直接的な電気的接続が行えるので、画像入力装置に対する被取り付け部材に相当するアクセサリー装置の固定部をアースのための接続部として有効利用することができる。これにより、アクセサリー装置に対するシールド効果を高めて輻射ノイズの発生をより効果的に防止することが可能となる。特に、画像入力装置に対する被取り付け部材に相当するアクセサリー装置の固定部は、フレキシブル電路よりも構造的に大きくなることから、効率的なアース回路が構成でき、これによってもシールド効果を高めてノイズの輻射を防止することができる。
【００２１】
請求項２記載の発明においては、可動部の一部が固定部のグランド接続部に対して常時接触する関係となっているので、常時電気的な導通状態が得られ、このための構成も特別な構成とすることなく可動部の可動方向に沿って延長された片部を用いた導電性部材をそのまま用いることができるので、コスト上昇を招くことなく簡単な構成により確実なグランド構造が得られる。
【００２２】
請求項３および７記載の発明においては、電気的導通部が複数箇所設定されることにより、より効果的なグランド接続が可能となる。
【００２３】
請求項４および５記載の発明においては、可動部が金属製グランド部材で構成され、さらにグランド部材をシールド部材として用いるようになっているので、ノイズを確実に低減することができる。
【００２４】
請求項６記載の発明においては、樹脂製のケース部材を用いた場合でもシールド効果を高めることができるので、使用する材料によっては低コスト化が図れる。
【００２５】
請求項８記載の発明においては、簡単な構成によるノイズ低減が可能となるので、アクセサリー装置およびこれが附属される装置側での電子部品への悪影響をなくすことができる。
【発明を実施するための最良の形態】
【００２６】
以下、図面に示す実施例により本発明を実施するための最良の形態について説明する。  
図１は、本発明によるアクセサリー装置が適用される画像入力装置の一つである撮像装置としてのカメラ１の外観図である。  
カメラ１は、本体１Ａの背面に液晶表示部１Ｂを備え、上面には、電気的接点を有するアクセサリーシュー１Ｃが設けられている。なお、カメラ１の本体１Ａには、上記部材だけでなく、正面側には撮影レンズが、また、上面には、説明を省くが、シャッターボタンや電源スイッチさらには背面にズーム切替スイッチなどが設けられている。  
アクセサリーシュー１Ｃには、図２に示すように、チルト機構を有した電子ビューファインダー１０が後付けにより着脱できるようになっている。
【００２７】
図２において電子ビューファインダー１０は、チルト機構を有した可動部材であり、アクセサリーシュー１Ｃに装着されてカメラ１と一体化される固定部１１と固定部１１によりチルトできる状態で支持されている可動部１２とを備えている。
【００２８】
可動部１２は、固定部１１に設けられているヒンジ部材１１Ａにより起倒可能に支持されており、背面側には接眼レンズを有したファインダ部１３が装備されて、図２（Ａ）に示すように固定部１１上に倒された状態、図２（Ｂ）に示すように固定部１１から上方に向けて起こされた状態とすることができるようになっている。なお、図２（Ｃ）は、図２（Ａ）の状態における背面側を示している。
【００２９】
電子ビューファインダー１０には、固定部１１の背面に信号線接続用コネクタ１１Ｂおよびアクセサリーシュー１Ｃに形成されているガイド突起１Ｄに嵌合する溝部１１Ｃ、そして図２（Ａ）に示す倒伏状態の可動部１２を起こす際のロック解除ボタン１１Ｄが設けられており、溝１１Ｃはアクセサリーシュー１Ｃに対する着脱部として用いられるようになっている。このため、ガイド突起１Ｄの長手方向に沿って溝１１Cを摺動させることにより電子ビューファインダー１０を抜き差しすることができる。
【００３０】
本実施例に示す電子ビューファインダー１０は、液晶の表示制御用の回路をはじめとする電気回路を有しており、図示しないが、この電気回路への信号線が固定部１１および可動部１２の内部にわたって配線されたフレキシブルプリント板などにより構成されたものが用いられるようになっており、配線の端末部が信号線接続用コネクタ１１Ｂに接続されている。フレキシブルプリント板には、信号ラインに加えて電子部品のアースラインも備えられている。
【００３１】
固定部１１には、図３に示すように、アクセサリーシュー１Ｃ側に設けてある電気的接点に圧接可能なグランド接続部１４が内蔵されている。  
グランド接続部１４は、図４および図５に示すように、側面視形状が横向きＵ字状に形成された金属製弾性板が用いられ、Ｕ字状に折り返された片部１４Ａの折り返し方向と直角な方向の両端部に片持ち梁状の摺擦片１４Ｂが形成され、そして、片部１４Ａの上面における摺擦片１４Ｂと同じ側の両端部には上方に向け張り出すグランド接触片１４Ｃが形成されている。また、折り返し片１４Ａの先端側にはアクセサリーシュー１Ｃ側に設けてある電気的接点に接触可能な端子部１４Ｄが設けられている。
【００３２】
摺擦片１４Ｂは、折り返し片１４Ａの中心から外側に向けた膨出面を有しており、膨出面がアクセサリーシュー１Ｃのガイド突起１Ｄ内面に圧接することで固定部１１を固定するようになっている。なお、図４において符号Ｐ１は、膨出面での圧接部を示している。  グランド接触片１４Ｃは、後述する可動部１２として用いられる金属製グランド部材１５（図３参照）の一部に設けてある接触片１５Ａの移動軌跡に沿って延長された片部で構成された導電部であり、この場合には、図５に示すように、可動部１２がヒンジ部材１１Ａを基準として起倒方向に揺動する際の接触片１５Ａの揺動軌跡（図４中、符号Ｒで示す）に沿った円弧状片部とされている。これにより、可動部１２が起倒のいずれの状態においてもグランド接触片１４Ｃに接触することができるようになっている。なお、図４、図５において符号Ｓ１は、可動部１２が倒伏状態にあるときに接触する位置を、そして符号Ｓ２は可動部１２が起立状態にあるときの接触位置をそれぞれ示している。
【００３３】
一方、可動部１２は、図３および図５に示すように、グランド接続部１４側のグランド接触片１４Ｃの外側に位置する接触片１５Ａを備えた金属製グランド部材１５で構成されており、金属製グランド部材１５は、電子ビューファインダー１０において固定部１１に対して起倒可能に設けられているケースと一体化される。
【００３４】
本実施例は以上のような構成であるから、電子ビューファインダー１０がカメラ１のアクセサリーシュー１Ｃに装着されると、固定部１１に設けられている摺擦片１４Ｂがアクセサリーシュー１Ｃのガイド突起１Ｄ内面に圧接することでアクセサリーシュー１Ｃに一体化される。
【００３５】
図６は、グランド接続部１４がアクセサリーシュー１Ｃ内に装着されている状態を示す平面図であり、同図においてグランド接続部１４が装着されると、グランド接続部１４の摺擦片１４Ｂの膨出面がアクセサリーシュー１Ｃのガイド突起１Ｄ内面に圧接する。このとき、ガイド突起１Ｄ内面からの反発力が生じ、これにより膨出面の両側ではグランド接続部１４の装着方向と直角な方向中央に向けた押圧力（図６中、符号Ｚ１で示す）が生起される。これにより、両端で撓み変形した場合の形状復元力（図６中、符号Ｚ２で示す）によってグランド接続部１４の両端を保持する接触圧をより効果的に得ることができる。
【００３６】
電子ビューファインダー１０の可動部１２は、起倒いずれの状態においてもグランド接続部１４のグランド接触片１４Ｃと接触を維持しているので、倒伏状態から起立状態に変位する際あるいはこの逆の変位を行う場合においてグランド接触片１４Ｃの表面を連続的に接触を維持されながら変位することができる。  
グランド接続部１４のグランド接触片１４Ｃは、電子ビューファインダー１０に内蔵されている電子回路の配線として用いられるフレキシブルプリント板に有するアースラインとは別に、フレキシブルプリント板での配線よりも大きくしたグランド用の電路を構成することができるので、電子回路を対象としたシールド効果を確保しやすくできる。特に、アースラインのサイズでいうと、フレキシブルプリント板でのアースラインが２０μｍ程度の厚さであるのに対し、グランド接続部１４のグランド接触片１４Ｃにより構成されるグランドラインの厚さは０．１ｍｍ程度ときわめて大きなグランドラインのサイズが得られることになるので、シールド効果をより向上させることができる。
【００３７】
しかも、固定部１１と可動部１２とのグランド用電路がグランド接続部１４を用いるだけで済むので、電子ビューファインダー１０のグランド経路がきわめて短くされることになり、電路長による抵抗変化等を来すことなくアクセサリーシュー１Ｃ側の電気的接点に向けたグランド回路を構成することができる。
【００３８】
本実施例においては、グランド接続路となるグランド接続部１４のグランド接触片１４Ｃおよびこれに接触する可動部１２の一部である金属製グランド部材１５の接触片１５Ａが複数箇所に設けられているので、効率よくアースすることができる。
【００３９】
次に、本発明の別実施例について説明する。  
本実施例の特徴は、可動部１２に用いられる金属製グランド部材１５をシールド部材の構成部材として用いることを特徴としている。  
図３（Ｂ）に示すように、可動部１２に用いられる金属製グランド部材１５には、可動部１２の全体を覆うことができる、概ね、下向き開口を有する箱状のシールド部材１６が取り付けられるようになっている。
【００４０】
シールド部材１６は、図３（Ｃ）に示すように、ケース１７に対して取り付け部をなす開口１６Ａが設けられており、ケース１７は、この開口１６Ａとグランド接続部１５に設けられている開口１５Ｂを利用したエンボス機構により一体的に取り付けられるようになっている。
【００４１】
本実施例は以上のような構成であるから、固定部１１に対して起倒可能な可動部１２は、内部がシールド部材１６によって概ね全体を覆われることになるので、輻射ノイズの漏洩を殆どない状態とすることができる。
【００４２】
次に本発明のさらに別の実施例について説明する。  
本実施例は、可動部１２の外郭をなすケースを樹脂製とした場合に、グランド接続部１４および金属製グランド部材１５に対向する面に金属メッキを施したことを特徴としている。  
図３（Ｃ）においてグランド接続部１５の外側に被されるケース１６は、本実施例の場合、樹脂成形品で構成されている。このため、グランド接続部１５に対して一体化される際に用いられるエンボス部（便宜上、図３（Ｃ）において符号Ｘ１で示す）の周囲およびこれらエンボス部間の内面、つまり、図３（Ｃ）において符号Ｘで示す領域に金属メッキが施されている。
【００４３】
本実施例は、以上のような構成であるから、固定部１１に対して起倒可能に設けられている可動部１２にはその外郭をなすケース１６が取り付けられる。ケース１６は、グランド接続部１４および金属製グランド部材１５との取り付け位置に相当するエンボス部がそれぞれ上記グランド接続部１４および金属製グランド部材１５に接触すると、その部分での導電性が向上させることになるので、ケースを非導電性部材とした場合でもグランド用電路を確保することができる、しかも、金属メッキ部が各エンボス部に対応して複数箇所に設けられることになるので、効率よくアース回路を構成することができる。
【００４４】
なお、図７は、図３に示した倒伏状態にある可動部１２が起立状態に切り換えられた状態をそれぞれ示している。
【００４５】
本実施例では、撮像装置の一つであるカメラを対象として、これに附属される機器の一つである電子ビューファインダーを例に挙げたが、本発明では、これに限らずフラッシュ等の他の附属機器を対処移することも可能であり、また撮像装置ではなく他の画像入力装置とすることも可能である。また、電子ビューファインダーは起倒可能なものだけでなく進退可能な摺動構造を用いるものであっても可能である。
【図面の簡単な説明】
【００４６】
【図１】本発明によるアクセサリー装置が適用される撮像装置の一つであるカメラの外観図である。
【図２】本発明実施例によるアクセサリー装置の一つである電子ビューファインダーの外観図である。
【図３】図２に示した電子ビューファインダーの固定部および可動部の構成を説明するために可動部が倒伏状態にある場合を示す図である。
【図４】図３に示した固定部に用いられるグランド接続部の構成を説明するための斜視図である。
【図５】図４に示した固定部に用いられるグランド接続部と可動部に用いられる金属製グランド部材との関係を説明するための図である。
【図６】図３に示した固定部に用いられるグランド接続部がカメラのアクセサリーシューに装着された状態を示す平面図である。
【図７】図３に示した倒伏状態にある可動部が起立した状態を示す図である。
【符号の説明】
【００４７】
１    カメラ
１Ｃ  アクセサリーシュー
１Ｄ  ガイド突起
１０  電子ビューファインダー
１１  固定部
１２  可動部
１４  グランド接続部
１４Ｃ  グランド接触片
１５  金属製グランド部材
１５Ａ  グランド接触片と接触する接触片
１６  シールド部材
１７  ケース
Ｘ，Ｘ１  金属メッキを施された部分
Ｒ  可動部１２の移動軌跡
【図１】
2008244834.tif 000003
【図２】
2008244834.tif 000004
【図３】
2008244834.tif 000005
【図４】
2008244834.tif 000006
【図５】
2008244834.tif 000007
【図６】
2008244834.tif 000008
【図７】
2008244834.tif 000009